(57)【特許請求の範囲】
【請求項１】
ワイヤーをパイプ等の吊持物に固定すると共に、前記ワイヤーの上端部を取付具を介して天井裏等に固定し、前記吊持物を天井裏等の空間に吊り下げて支持する吊持物の吊下げ支持具であって、
天井裏等に配設される線条のワイヤー体と、
パイプ等の吊持物を固定可能なワイヤーと、
前記ワイヤーの一端に連結される取付具と、よりなり、
前記取付具は、上端が閉止された筒状体に形成され、この筒状体の側壁にワイヤー体が貫通される掛止穴を設けた本体部と、前記ワイヤーの上端部を固定した受部材とより構成され、
前記受部材に螺合部を形成すると共に、前記筒状体の開放端内面には前記螺合部に螺着し得る被螺合部を形成し、前記本体部及び受部材を着脱可能にしたことを特徴とする吊持物の吊下げ支持具。
【請求項２】
請求項１に記載の吊持物の吊下げ支持具において、
掛止穴に連続して筒状体の側壁に向けて開放された溝部を形成してなる吊持物の吊下げ支持具。
【請求項３】
請求項１又は２に記載した吊持物の吊下げ支持具を用いて、吊持物を天井裏等の空間に吊り下げて支持する吊持物の吊下げ支持構造であって、
前記天井裏等に線条のワイヤー体を配設すると共に、前記吊持物を固定した前記ワイヤーの上端部を取付具に固着し、この取付具の本体部に設けられた係止穴に前記ワイヤー体を貫通させることによって、この取付具を前記ワイヤー体に掛止して前記吊持物を前記天井裏等の空間に吊り下げて支持することを特徴とする吊持物の吊下げ支持構造。
【請求項４】
請求項１又は２に記載した吊持物の吊下げ支持具を用いて、吊持物を天井裏等の空間に吊り下げて支持する吊持物の吊下げ支持構造であって、
取付具の本体部に設けられた係止穴にワイヤー体を貫通させることによって、前記ワイヤー体に前記取付具の本体部を掛止し、吊持物を固定したワイヤーの上端部を前記取付具の受部材に固定し、この受部材を前記本体部に螺着、固定し、前記吊持物を前記天井裏等の空間に吊り下げて支持することを特徴とする吊持物の吊下げ支持構造。
【発明の詳細な説明】
【技術分野】
【０００１】
本発明は、天井裏等の空間にワイヤーを介してパイプ等の吊持物を吊下げ支持する吊下げ支持具及びこれを用いた吊下げ支持構造に関する。
【背景技術】
【０００２】
オフィスビルや工場などの各種建築物の内部には、例えば、排水パイプ、空調用ダクト、電気配線類等の吊持物（以下、「吊持物」と略する。）が収容されており、当該吊持物は、建築物の天井裏等の空間に吊下げ支持具を用いて吊下げられた状態に保持されている。
【０００３】
この種の吊下げ支持具及びこれを用いた吊下げ支持構造には様々な形態があるが、例えば、吊持物を固定可能なワイヤーと、当該ワイヤーの一端に連結される取付具と、より構成された吊下げ支持具は公知である（例えば、特許文献１参照。）。
【０００４】
具体的には、前記吊下げ支持具のワイヤーを吊持物に固定すると共に、このワイヤーの上端部を取付具を介して天井裏等に固定し、前記吊持物を天井裏等の空間に吊り下げて支持する構造にしている。
【０００５】
更に詳しくは、従来の吊下げ支持具及びこれを用いた吊下げ支持構造においては、前記取付具を天井裏等に固定する手段として、天井裏等に取付具を直接埋設したり、或いは、接着剤や粘着テープを用いて天井裏等に取付具を接着、貼着したりするものも知られている（例えば、特許文献２参照。）。
【特許文献１】特開２００４−２２５７８２号
【特許文献２】特開昭５８−４７０７３号
【発明の開示】
【発明が解決しようとする課題】
【０００６】
しかし、これらの吊下げ支持具及びこれを用いた吊下げ支持構造では、高重量物である吊持物を支持するための支持強度が弱いという問題がある。
【０００７】
もっとも、通常の使用時では、特に支持強度の問題は生じないと思われるが、近年多発している地震などの災害時においては、縦揺れや横揺れによって、前記吊持物は勿論、天井裏等に異常な外力が負荷されるため、前記取付具が天井裏等から離脱する危険がある。
【０００８】
又、前記取付具を固定する天井裏等に鉄骨材等が配置されていれば、当該鉄骨材等に前記取付具を溶接等して支持強度を高めることも考えられる。
【０００９】
しかしながら、現実的には、天井裏等に鉄骨材等が外被している場合は殆どなく、しかも前記取付具の取付け位置は、天井裏等に複数点在しているため、溶接等を行うことはできない。
【００１０】
そこで、本出願人は、かかる課題を解決することを目的として、従来の吊下げ支持具及びこれを用いた吊下げ支持構造を根本的に見直し、鋭意研究した結果、前記取付具を天井裏等に直接埋設したり、或いは、接着、貼着したりせず、天井裏等に線条のワイヤー体を配設し、このワイヤー体に前記取付具を掛止して、前記吊持物を天井裏等の空間に吊り下げて支持する吊持物の吊下げ支持具及びこれを用いた吊下げ支持構造を提供するに至ったものである。
【課題を解決するための手段】
【００１１】
上記目的を達成するため、本発明に係る吊持物の吊下げ支持具においては、天井裏等に配設される線条のワイヤー体と、パイプ等の吊持物を固定可能なワイヤーと、前記ワイヤーの一端に連結される取付具と、よりなり、更に、前記取付具は、上端が閉止された筒状体に形成され、この筒状体の側壁にワイヤー体が貫通される掛止穴を設けた本体部と、前記ワイヤーの上端部を固定した受部材とより構成してなる。
【００１２】
そして、前記受部材に螺合部を形成すると共に、前記筒状体の開放端内面には前記螺合部に螺着し得る被螺合部を形成し、前記本体部及び受部材を着脱可能にしたものである。
【００１３】
このような構成による本発明の吊下げ支持具は、従来のように取付具を天井裏等に直接埋設したり、或いは、接着、貼着するのではなく、先ず、天井裏等に線条のワイヤー体を配設し、このワイヤー体に取付具を掛止させて、吊持物を天井裏等の空間に吊り下げて支持せんとしたものである。
【００１４】
具体的には、本体部は、上端が閉止された筒状体に形成され、この筒状体の側壁にワイヤー体が貫通される掛止穴を設けると共に、前記筒状体の開放端内面には、受部材の螺合部を螺合し得る被螺合部を形成してなるため、前記ワイヤー体を複数の本体部の掛止穴に順次貫通させたうえで、当該ワイヤー体の両端を天井裏等に配置されている鉄骨材等の建造物に直接固定すれば、固定されたワイヤー体に複数の本体部を取付けできる。
【００１５】
そして、これら複数の本体部をワイヤー体の長手方向の所望位置にスライドさせると共に、ワイヤーの上端部を固定した受部材の螺合部を、前記本体部の被螺合部に螺合して連結し、前記ワイヤーに吊持物を吊下げて支持するのである。
【００１６】
このように本発明の吊持物の吊下げ支持具を用いれば、天井裏等に線条のワイヤー体を配設すると共に、前記吊持物を固定した前記ワイヤーの上端部を取付具に固着し、この取付具を前記ワイヤー体に掛止して前記吊持物を前記天井裏等の空間に吊り下げて、吊持物を簡単且つ強固に支持することができる。
【００１７】
また、本発明の本体部に設けた掛止穴に連続して、筒状体の側壁に向けて開放された溝部を形成しておけば、前記溝部を通じてワイヤー体を容易に掛止できるため、前述のように複数の本体部をワイヤー体の掛止穴に予め貫通させなくても、天井裏等に配置されたワイヤー体の所望位置に、本体部の溝部を通じて掛止穴に掛止することができ、作業性を一層向上できる。
【００１８】
このとき、ワイヤー体は、全体が外被された状態でも構わないが、当該ワイヤー体が外被しては困るような場所であれば、当該ワイヤー体を、例えばコンクリート床等に埋設しておき、取付具の掛止する位置だけを部分的に開設すれば、前記ワイヤー体が外被されることはない。
【００１９】
このように、本発明の吊持物の吊下げ支持具を用いれば、従来のように取付具を天井裏等に直接埋設したり、或いは、接着、貼着する必要がなく、ワイヤー体に取付具の本体部を掛止し、吊持物を固定したワイヤーの上端部を前記取付具の受部材に固定し、この受部材を前記本体部に螺着、固定し、前記吊持物を前記天井裏等の空間に吊り下げて、吊持物を簡単且つ強固に支持することができる。
【発明の効果】
【００２０】
本発明に係る吊持物の吊下げ支持具及びこれを用いた吊下げ支持構造によれば、天井裏等に鉄骨材等が外被していなくても、前記鉄骨材等にワイヤー体を固定して配設しておくだけで、当該ワイヤー体に十分な強度を得ることができ、このように配設された線条のワイヤー体に取付具を掛止するだけで、地震などの災害時における縦揺れや横揺れなどによって、例えば、天井裏等に異常な外力が負荷されても、取付具が天井裏等から離脱する危険を確実に防止できる。
【００２１】
また、本発明によれば、本体部及び受部材を着脱可能にしているので、ワイヤーの上端部に固定した前記受部材を、ワイヤー体に掛止された本体部に螺合するだけで簡単且つ確実に吊持部を吊下げ支持でき、作業性を高めることができる。
【発明を実施するための最良の形態】
【００２２】
以下、本発明に係る吊持物の吊下げ支持具及びこれを用いた吊下げ支持構造を図面とともに説明する。
【実施例１】
【００２３】
図１は、本発明に係る吊持物の吊下げ支持具Ａの一実施例を示す分解斜視図である。
【００２４】
本発明の吊下げ支持具Ａは、天井裏等に配設される線条のワイヤー体１と、パイプ等の吊持物Ｐを固定可能なワイヤー２と、このワイヤー２の一端に連結される取付具３と、よりなり、当該取付具３は、ワイヤー体１に掛止可能な掛止部３１ａを設けた本体部３１と、ワイヤー２の上端部を固定した受部材３２とより構成している。
【００２５】
ワイヤー体１は、市販の金属製ワイヤー又はピアノ線等を使用してコストダウンを図ることができる。
【００２６】
ここで、「線条」とは、細長い長尺物を意味し、断面円形に限らず、断面楕円形、角形のものも含む意味である。
【００２７】
本体部３１は、上端が閉止された筒状体に形成され、この筒状体の側壁にワイヤー体１が貫通される掛止穴３１ａ’を設けるか、或いは、本実施例で示すように、ワイヤー体１が貫通される掛止穴３１ａ’に連続して前記筒状体の側壁に向けて開放された溝部３１ａ”を形成してなる。
【００２８】
また、本体部３１の内面は、円筒状に形成し、この内面に、受部材３２の螺合部（ネジ山）３２ａを螺合し得る被螺合部（ネジ溝）３１ｂを形成してなる。
【００２９】
そのため、受部材３２の螺合部（ネジ山）３２ａは、本体部３１の開放端及び内面によって確実且つ強固に螺合できると共に、受部材３２を本体部３１の閉止端まで十分に螺合できるため、ワイヤー体１を受部材３２及び本体部３１の間で確実に挟持して固定できる。
【００３０】
受部材３２は、ボルトの軸部にワイヤー２が貫通可能な貫通路３２ｂを形成し、この貫通路３２ｂの上端に嵌合段部３２ｃを形成してなる。
【００３１】
また、ワイヤー２の上端には、嵌合段部３２ｃに嵌合される嵌合部材２１を固着し、ワイヤー２の下端を、受部材３２の貫通路３２ｂ上方から貫通させて、嵌合部材２１を嵌合段部３２ｃに嵌合し、ワイヤー２を受部材３２に固定している。
【００３２】
なお、ワイヤー２と受部材３２の固定手段は特に限定されるものでなく、例えば、溶接等によって固定しても良く、要は、ワイヤー２と受部材３２とが確実に固定できるものであれば良いのである。
【００３３】
このようにして取付具３の本体部３１に螺合部３１ｂを形成すると共に、受部材３２に被螺合部３２ａを形成し、これら本体部３１及び受部材３２ａを着脱可能にしている。
なお、ワイヤー２の下端には、既存の手段と同様にして、吊持物Ｐを固定している。
【００３４】
以上のように構成した本発明の吊下げ支持具Ａは、以下の要領で施工する。
【００３５】
図２は、図１で示した吊下げ支持具Ａを用いた吊下げ支持構造Ｂの一実施例を示す使用状態図である。なお、図１との共通する部位には、同一の符号を付して、重複する説明は省略する。
【００３６】
先ず、天井裏等に配置されている支柱又は梁等の頑丈な鉄骨材（Ｈ鋼材等）等に、ワイヤー体１の両端を固定する。具体的には、ワイヤー体１の両端と、鉄骨材等をボルト、ナット又はターンバックル等の公知の固定手段によってワイヤー体１を緊張状態にして天井裏等に配設する〔図２（ａ）参照。〕。
【００３７】
次に、配設されたワイヤー体１に本体部３１の掛止部３１ａを引っ掛けて、ワイヤー体１に複数の本体部３１を掛止し、更に、本体部３１をワイヤー体１の長さ方向にスライドさせて各々の本体部３１を適所に配置する〔図２（ｂ）参照。〕。
【００３８】
そして、この配置された本体部３１の被螺合部３１ｂと、ワイヤー２の上端部に固定された受部材３２の螺合部３２ａを順次螺合するだけで、ワイヤー体１が受部材３２及び本体部３１の間で確実に挟持されて、本体部３１のスライドが規制されると共に〔図２（ｃ）参照。〕、吊持物Ｐを天井裏等の空間Ｑに簡単且つ確実に吊り下げて支持できる〔図２（ｄ）参照。〕。
【００３９】
このように本発明に係る吊持物の吊下げ支持具Ａ及びこれを用いた吊下げ支持構造Ｂによれば、天井裏等に配設したワイヤー体１に取付具３を掛止するだけで簡単に施工できるうえ、地震などの災害時における縦揺れや横揺れなどによって、例えば、天井裏等に異常な外力が負荷されても、取付具３が前記ワイヤー体１に掛止した構造にしているので、当該ワイヤー体１の十分な強度を得ることができ、取付具３が天井裏等から離脱する危険を確実に防止できるのである。
【実施例２】
【００４０】
図３は、図１で示した吊下げ支持具Ａを用いた吊下げ支持構造Ｂの他の実施例を示す使用状態図である。なお、図１、図２との共通する部位には、同一の符号を付して、重複する説明は省略する。
【００４１】
この実施例２では、ワイヤー体１が外被しては困るような場所などで使用する場合に適しており、ここでは、ワイヤー体１をコンクリート床Ｒ等に埋設する手段を例示している。
【００４２】
先ず、天井裏等の空間Ｑの上部であるコンクリート床Ｒ等に、ワイヤー体１を当該コンクリート床Ｒ等の建設段階で埋設しておく〔図３（ａ）参照。〕。
【００４３】
また、図示しないが、前記コンクリート床Ｒ等の施工後であれば、ワイヤー体１を当該コンクリート床Ｒ等の下面に近接させて配置しても構わない。
【００４４】
次に、前記コンクリート床Ｒ等の適所を、ドリル等の工具で下方から切削して開放穴Ｂ１を開設してワイヤー体１を外被させ、この開放されたワイヤー体１に本発明の本体部３１の掛止部ａを引っ掛けて、ワイヤー体１に本体部３１を掛止する〔図３（ｂ）参照。〕。
【００４５】
なお、ワイヤー体１の埋設位置は、既存の検知器等で容易に検知することができる。
【００４６】
そして、前記と同要領にして、掛止された本体部３１の被螺合部３１ｂと、ワイヤー２の上端部に固定された受部材３２の螺合部３２ａを螺合するだけで、ワイヤー体１が受部材３２及び本体部３１の間で確実に挟持されて、本体部３１のスライドが規制されると共に〔図３（ｃ）参照。〕、吊持物Ｐを天井裏等の空間Ｑに簡単且つ確実に吊り下げて支持できる〔図３（ｄ）参照。〕。
【００４７】
このように本発明に係る吊持物の吊下げ支持具Ａ及びこれを用いた吊下げ支持構造Ｂによれば、前記と同様の効果を得ることができるうえ、天井裏等に埋設されたワイヤー体１が更に強度を増すことができ、取付具３が天井裏等から離脱する危険を更に確実に防止できるのである。
【図面の簡単な説明】
【００４８】
【図１】本発明に係る吊持物の吊下げ支持具Ａの一実施例を示す分解斜視図である。
【図２】図１で示した吊下げ支持具Ａを用いた吊下げ支持構造Ｂの一実施例を示す使用状態図である。
【図３】図１で示した吊下げ支持具Ａを用いた吊下げ支持構造Ｂの他の実施例を示す使用状態図である。
【符号の説明】
【００４９】
Ａ      吊持物の吊下げ支持具
Ｂ      吊持物の吊下げ支持構造
Ｐ      吊持物
Ｑ      天井裏等の空間
１      ワイヤー体
２      ワイヤー
３      取付具
３１    本体部
３１ａ  掛止部
３１ａ’掛止穴
３１”  溝部
３１ｂ  被螺合部
３２    受部材
３２ａ  螺合部
【図１】
0004787805.tif 000002
【図２】
0004787805.tif 000003
【図３】
0004787805.tif 000004